(57)【特許請求の範囲】
【請求項１】
光源の光出力の大きさを指令する調光信号としてＰＷＭ（Ｐｕｌｓｅ  Ｗｉｄｔｈ  Ｍｏｄｕｌａｔｉｏｎ）信号を入力し、前記ＰＷＭ信号のデューティ比に応じて前記光源の光出力を制御する光源点灯装置において、
前記ＰＷＭ信号を入力し、入力した前記ＰＷＭ信号のデューティ比に応じた直流電圧を出力する直流電圧出力部と、
前記直流電圧出力部から前記直流電圧を入力し、入力した前記直流電圧が所定の第１電圧以下かつ前記第１電圧よりも小さい所定の第２電圧以上のときは前記直流電圧出力部から入力した前記直流電圧を変換電圧として出力し、入力した前記直流電圧が前記第１電圧よりも大きいときは前記第１電圧を前記変換電圧として出力し、入力した前記直流電圧が前記第２電圧よりも小さいときは前記第２電圧を前記変換電圧として出力する直流電圧変換部と、
前記直流電圧変換部から前記変換電圧を入力し、前記変換電圧から定電圧の電圧値を減算する減算処理の演算処理を実行して前記変換電圧から演算後の演算電圧を生成し、生成した前記演算電圧を出力する電圧演算部と、
前記電圧演算部から前記演算電圧を入力し、入力した前記演算電圧に応じて前記光源の光出力を制御する光出力制御部と
を備えたことを特徴とする光源点灯装置。
【請求項２】
前記光出力制御部は、
入力した前記演算電圧の大きさを調整可能な演算電圧調整部を
備えたことを特徴とする請求項１記載の光源点灯装置。
【請求項３】
前記光源点灯装置は、さらに、
制御電源を備え、
前記演算電圧調整部は、
３つの抵抗を備えると共に、前記３つの抵抗と、前記制御電源とに基づいて、前記演算電圧の大きさを調整可能であることを特徴とする請求項２記載の光源点灯装置。
【請求項４】
前記光源は、
発光ダイオードであることを特徴とする請求項１〜３のいずれかに記載の光源点灯装置。
【請求項５】
請求項１〜４のいずれかに記載の光源点灯装置を備えた照明器具。
【請求項６】
調光信号であるＰＷＭ信号を送信する調光器と、
請求項５記載の複数の照明器具とを備えた調光照明システム。
【発明の詳細な説明】
【技術分野】
【０００１】
この発明は、調光信号に基づいて光源の光出力を制御する光源点灯装置、照明器具及び調光照明システムに関する。
【背景技術】
【０００２】
照明用点灯装置において、調光信号に基づく調光制御方式に関する技術がある。近年の照明器具における無駄な明かりの削減は、省エネ、省電力において重要である。このことから、その実現手段である点灯装置の調光制御の需要は増加している。使用者が操作する上で、所定の調光信号以下で全光出力となり、下限調光出力のときには所定の調光信号以上のときに一定出力となり、全光及び下限調光を容易に設定できる技術がある（例えば、特許文献１、特許文献２）。調光制御にはＰＷＭ（Ｐｕｌｓｅ  Ｗｉｄｔｈ  Ｍｏｄｕｌａｔｉｏｎ）信号が用いられるが、ＰＷＭ信号のオンデューティ（デューティ比）と、全光出力および下限調光出力の光出力との関係は、「ＪＩＳ  Ｃ  ８１２０」に従うことが望ましい。
【先行技術文献】
【特許文献】
【０００３】
【特許文献１】特開平７−６８９２号公報
【特許文献２】特開平７−４５３９２号公報
【非特許文献】
【０００４】
【非特許文献１】日本工業規格  「ＪＩＳ  Ｃ８１２０：２００８」
【発明の概要】
【発明が解決しようとする課題】
【０００５】
本発明は、ＰＷＭ信号を調光制御に用いる光源点灯装置において、簡易な構成で、デューティ比と光出力との関係の傾きを自由に設定することができる光源点灯装置の提供を目的とする。
【課題を解決するための手段】
【０００６】
この発明の光源点灯装置は、
光源の光出力の大きさを指令する調光信号としてＰＷＭ信号を入力し、前記ＰＷＭ信号のデューティ比に応じて前記光源の光出力を制御する光源点灯装置において、
前記ＰＷＭ信号を入力し、入力した前記ＰＷＭ信号のデューティ比に応じた直流電圧を出力する直流電圧出力部と、
前記直流電圧出力部から前記直流電圧を入力し、入力した前記直流電圧が所定の第１電圧以下かつ前記第１電圧よりも小さい所定の第２電圧以上のときは前記直流電圧出力部から入力した前記直流電圧を変換電圧として出力し、入力した前記直流電圧が前記第１電圧よりも大きいときは前記第１電圧を前記変換電圧として出力し、入力した前記直流電圧が前記第２電圧よりも小さいときは前記第２電圧を前記変換電圧として出力する直流電圧変換部と、
前記直流電圧変換部から前記変換電圧を入力し、前記変換電圧から所定の電圧を減算する減算処理と、前記変換電圧に所定の電圧を加算する加算処理とのいずれかの演算処理を実行して前記変換電圧から演算後の演算電圧を生成し、生成した前記演算電圧を出力する電圧演算部と、
前記電圧演算部から前記演算電圧を入力し、入力した前記演算電圧に応じて前記光源の光出力を制御する光出力制御部と
を備えたことを特徴とする。
【発明の効果】
【０００７】
本発明により、簡易な構成で、デューティ比と光出力との関係を「ＪＩＳ  Ｃ８１２０」規格に合致させることができる光源点灯装置を提供できる。
【図面の簡単な説明】
【０００８】
【図１】実施の形態１の調光照明システム１００の構成図。
【図２】実施の形態１の光源点灯装置１１０のブロック図。
【図３】実施の形態１の直流電圧変換部５０の出力電圧Ｖ３を示す図。
【図４】実施の形態１の光源点灯装置１１０の回路図。
【図５】実施の形態１の光源点灯装置１１０のデューティ比と出力電圧、光出力との関係を示す図。
【図６】実施の形態２の光源点灯装置１２０の回路図。
【発明を実施するための形態】
【０００９】
実施の形態１．
図１〜図５を参照して実施の形態１の光源点灯装置１１０を説明する。光源点灯装置１１０は、調光信号であるＰＷＭ信号を入力し、ＰＷＭ信号のデューティ比（１周期のうちのオンデューティの割合）に応じて光源（ランプともいう）の光出力を制御する調光機能を有する。光源点灯装置１１０の特徴は、デューティ比に対するランプの光出力を、日本工業規格「ＪＩＳ  Ｃ８１２０」に適合させる構成を有する点である。光源点灯装置１１０の光源ＬＡは、例えば、発光ダイオードや放電灯である。
【００１０】
図１は、複数の光源点灯装置１１０から構成される、実施の形態１の調光照明システム１０００の構成図である。調光照明システム１０００は、調光信号を送信する調光器２００と、複数の照明器具Ａ〜Ｎを備えている。各照明器具は信号線を介して調光器２００から調光信号を受信する。また各照明器具は、以下に説明する光源点灯装置１１０を備えている。
【００１１】
（光源点灯装置１１０の構成の概要）
図２は、実施の形態１の光源点灯装置１１０を示すブロック図である。図２を参照して光源点灯装置１１０の構成概要を説明する。
【００１２】
光源点灯装置１１０は、点灯回路１０、調光信号入力部２０、スイッチング回路３０、時間積分回路４０（直流電圧出力部）、直流電圧変換部５０、減算回路６０（電圧演算部）、調光制御回路７０を備えている。また、定電流回路１２と、点灯制御回路１３と、電流検出回路１４と、及び調光制御回路７０とは、光源の光出力を制御する光出力制御部１０１を構成する。
（１）点灯回路１０は、商用電源ＡＣ（交流電流）が入力され、光源ＬＡに電力を供給する。
（２）調光信号入力部２０は、調光器２００から出力されるＰＷＭ信号からなる調光信号が入力される。
（３）スイッチング回路３０は、調光信号入力部２０に接続される。
（４）時間積分回路４０は、スイッチング回路３０に接続される。
（５）直流電圧変換部５０は、時間積分回路４０に接続される。
（６）減算回路６０は、直流電圧変換部５０に接続される。
（７）調光制御回路７０は、減算回路６０に接続される。
なお、これらの各回路の機能は動作の説明で後述する。
【００１３】
点灯回路１０は、交流−直流変換回路１１、制御する定電流回路１２、点灯制御回路１３、電流検出回路１４を備えている。
（１）交流−直流変換回路１１は、商用電源ＡＣから供給される交流電圧を直流電圧に変換する。
（２）定電流回路１２は、交流−直流変換回路１１が変換した直流電圧を入力し、光源ＬＡに定電流が流れるように制御する。
（３）点灯制御回路１３は、定電流回路１２が光源ＬＡに供給する定電流の電流値を設定し、光源ＬＡの点灯状態を制御する。
（４）電流検出回路１４は、定電流回路１２が光源ＬＡに供給している電流値を検出する。
【００１４】
（点灯制御回路１３）
点灯制御回路１３は調光制御回路７０に接続され、調光制御回路７０の指令に従って、光源ＬＡへ供給する電流の電流値を示す制御信号を定電流回路１２に出力する。点灯制御回路１３は、調光器２００が出力するＰＷＭ信号のデューティ比が大きくなるほど、光源ＬＡが暗くなるように調光制御を行う。
【００１５】
（電流検出回路１４）
電流検出回路１４は、定電流回路１２が光源ＬＡに供給する電流値を検出し、検出した電流値を示す検出信号ＶＣＳを調光制御回路７０に出力する。
【００１６】
（調光信号入力部２０の構成）
調光信号入力部２０は、一端側が調光器２００に接続される抵抗Ｒ１と、抵抗Ｒ１の他端と調光器２００に接続されるコンデンサＣ１と、抵抗Ｒ１とコンデンサＣ１が接続される接続部に一端側が接続される抵抗Ｒ２と、抵抗Ｒ２に接続されるダイオードブリッジＤＢとを備える。ダイオードブリッジＤＢは、調光信号入力部２０に接続される調光器２００の極性を誤った場合であっても、ダイオードブリッジＤＢの後段に接続されるスイッチング回路３０に入力する信号の極性を同じにするためのものである。
【００１７】
（スイッチング回路３０：出力Ｖ１）
スイッチング回路３０は、調光信号入力部２０のダイオードブリッジＤＢに発光ダイオード部が接続され、調光信号（ＰＷＭ信号）に応動してフォトトランジスタがスイッチング（オン・オフ）するフォトカプラＰＣを備える。スイッチング回路３０は、フォトカプラＰＣがスイッチング動作することによって、制御電源ＶＤＤから入力される電圧を、抵抗Ｒ３を介して矩形波状の信号波形に生成し、この生成した信号波形を矩形波電圧Ｖ１（図１のＡ点）として出力する。
【００１８】
（時間積分回路４０：出力Ｖ２）
時間積分回路４０は、スイッチング回路３０が出力する矩形波電圧Ｖ１（ＰＷＭ信号）を入力し、矩形波電圧Ｖ１を積分して、矩形波電圧Ｖ１のデューティ比に応じたほぼ平坦な直流電圧Ｖ２を生成し、（図１のＢ点）を直流電圧変換部５０に出力する。矩形波電圧Ｖ１は調光器２００が出力する調光信号に対応しているので、時間積分回路４０によって生成される直流電圧Ｖ２は、調光器２００が出力する調光信号のデューティ比に応じたものである。
【００１９】
（直流電圧変換部５０：出力Ｖ３）
図３は、直流電圧変換部５０が時間積分回路４０から入力する直流電圧Ｖ２と、直流電圧変換部５０の出力する直流電圧Ｖ３（変換電圧）との関係を示す図である。直流電圧変換部５０は、図３に示すように、
（範囲１）時間積分回路４０が生成した直流電圧Ｖ２の電圧値が、予め定める第２電圧値Ｖ（２）より小さいときは、第２電圧Ｖ（２）を直流電圧Ｖ３として出力する。
（範囲２）時間積分回路４０が生成した直流電圧Ｖ２の電圧値が、第１電圧値Ｖ（１）以下、かつ、第２電圧Ｖ（２）以上のときは、直流電圧Ｖ２を直流電圧Ｖ３として出力する。
（範囲３）時間積分回路４０が生成した直流電圧Ｖ２の電圧値が、予め定める第１電圧Ｖ（１）よりも大きいときは、第１電圧Ｖ（１）を直流電圧Ｖ３（図１のＣ点）として出力する。
【００２０】
（減算回路６０：出力Ｖ４）
減算回路６０は、直流電圧変換部５０が出力する直流電圧Ｖ３を入力し、この直流電圧Ｖ３の電圧値から所定の電圧値Ｖを減算（差分）して、直流電圧Ｖ４（演算電圧）として出力する（図１のＤ点）。なお、実施の形態１の光源点灯装置１１０では、このように直流電圧Ｖ３から電圧値Ｖを減じているが、直流電圧変換部５０から出力される直流電圧Ｖ３の大きさによっては、直流電圧Ｖ３に電圧値Ｖ’を加えてもよい。すなわち、減算回路６０（電圧演算部）は、直流電圧Ｖ３の大きさによっては、減算処理に限らず、加算処理を行う構成でもよいことは当然である。この場合、減算において引かれる電圧Ｖと、加算において加えられる電圧Ｖ’とは、互いに無関係である。
【００２１】
（調光制御回路７０）
調光制御回路７０は、減算回路６０が出力する直流電圧Ｖ４と、電流検出回路１４が出力する検出信号とを入力し、直流電圧Ｖ４と検出信号とを比較して、調光器２００が指示する調光度となる調光制御指令値（調光制御信号）を点灯制御回路１３に出力する。
【００２２】
図４は、図２の光源点灯装置１１０のブロック図を詳細に示す回路図である。スイッチング回路３０は、図２に示すフォトカプラＰＣのほかに、フォトカプラＰＣが出力する信号を増幅するための増幅回路３１を備えている。なお図４では、図６で後述する実施の形態２の調光制御回路７０ｂと区別のため、「調光制御回路７０ａ」とした。
【００２３】
（増幅回路３１）
増幅回路３１は、反転スイッチング部３２、出力スイッチング部３３を備えている。
反転スイッチング部３２は、フォトカプラＰＣの出力によりスイッチングして、フォトカプラＰＣの出力波形とは反転した反転信号を出力する。出力スイッチング部３３は、反転スイッチング部３２から、この反転信号を入力し、さらに反転してフォトカプラＰＣの出力波形と同位相とするとともに、フォトカプラＰＣの出力よりも信号レベルの高いＰＷＭ制御信号を出力する。
【００２４】
（反転スイッチング部３２）
反転スイッチング部３２は、一端側がフォトカプラＰＣに接続される抵抗Ｒ４と、この抵抗Ｒ４の他端側に接続されるコンデンサＣ２及びＭＯＳ−ＦＥＴ（Ｑ１）と、ＭＯＳ−ＦＥＴ（Ｑ１）のドレイン端子と制御電源ＶＤＤとの間に接続される抵抗Ｒ５とを備える。
【００２５】
（出力スイッチング部３３）
出力スイッチング部３３は、反転スイッチング部３２のＭＯＳ−ＦＥＴ（Ｑ１）のドレイン端子に接続されるＭＯＳ−ＦＥＴ（Ｑ２）、（Ｑ３）と、ＭＯＳ−ＦＥＴ（Ｑ２）とＭＯＳ−ＦＥＴ（Ｑ３）との間に接続される抵抗Ｒ６、Ｒ７とを備える。なお、この実施の形態１におけるＭＯＳ−ＦＥＴ（Ｑ２）は、ＰチャネルＦＥＴであり、ＭＯＳ−ＦＥＴ（Ｑ３）は、ＮチャネルＦＥＴである。このように、ＭＯＳ−ＦＥＴ（Ｑ２）に、ＭＯＳ−ＦＥＴ（Ｑ３）のコンプリメンタリの関係となっているものを使用して、ＭＯＳ−ＦＥＴ（Ｑ２）がオンのとき、ＭＯＳ−ＦＥＴ（Ｑ３）がオフ、ＭＯＳ−ＦＥＴ（Ｑ２）がオフのとき、ＭＯＳ−ＦＥＴ（Ｑ３）がオンとなるようにしている。
【００２６】
増幅回路３１は、フォトカプラＰＣが出力する出力信号のレベルが低い場合、後段の時間積分回路４０などが誤動作するのを防止するために設けている。なお、フォトカプラＰＣが出力する出力信号のレベルが高く、時間積分回路４０などが誤動作する恐れがない場合は、増幅回路３１を省略してもよい。
【００２７】
（時間積分回路４０）
時間積分回路４０は、抵抗Ｒ８と、抵抗Ｒ８に接続されるコンデンサＣ３からなる積分回路である。時間積分回路４０は、入力した調光制御信号に応じて、制御電源ＶＤＤをスイッチングして得られる矩形波電圧Ｖ１を生成し、矩形波電圧Ｖ１を時間積分して第１直流電圧Ｖ２（Ｂ点）を生成する。直流電圧Ｖ２は、式（１）に示すように、制御電源ＶＤＤに、矩形波電圧Ｖ１の「１−オンデューティ比」（少数表記）を掛け合わせて算出する。
【００２８】
Ｖ２＝ＶＤＤ×（１−「ｏｎ−ｄｕｔｙ」）・・・（式１）
【００２９】
（直流電圧変換部５０）
直流電圧変換部５０は、
時間積分回路４０にダイオードＤ１を介して接続されるオペアンプＯＰ１と、オペアンプＯＰ１の出力端子に接続されるコンデンサＣ４と、正極入力端子が時間積分回路４０に接続され、負極入力端子が自身の出力端子に接続されるオペアンプＯＰ２と、オペアンプＯＰ２の出力端子に接続されるコンデンサＣ５及びダイオードＤ２と、制御電源ＶＤＤを分圧する直列接続される抵抗Ｒ９、Ｒ１０、Ｒ１１と、この抵抗Ｒ９と抵抗Ｒ１０に接続されるダイオードＤ３と、抵抗Ｒ１０と抵抗Ｒ１１に正極入力端子が接続され、負極入力端子が自身の出力端子に接続されるオペアンプＯＰ３と、このオペアンプＯＰ３の出力端子に接続されるコンデンサＣ６及びダイオードＤ４と、ダイオードＤ２のカソード端子及びダイオードＤ４のカソード端子に接続されるコンデンサＣ７と、を備える。
【００３０】
直流電圧変換部５０は、図３で説明したように、直流電圧Ｖ２を入力し、直流電圧Ｖ２の電圧値が範囲３のときは第１電圧値Ｖ（１）を直流電圧Ｖ３として出力し、直流電圧Ｖ２の電圧値が範囲１のときは第２電圧値Ｖ（２）を第２直流電圧Ｖ３として出力し、直流電圧Ｖ２の電圧値が範囲２のときは直流電圧Ｖ２の電圧値を直流電圧Ｖ３として出力する。
【００３１】
（減算回路６０）
減算回路６０は、直流電圧変換部５０が出力する直流電圧Ｖ３を分圧する抵抗Ｒ１２、Ｒ１３と、正極入力端子が抵抗Ｒ１３に接続され、負極入力端子が自身の出力端子に抵抗Ｒ１５を介して接続されるオペアンプＯＰ４と、オペアンプＯＰ４の負極入力端子に抵抗Ｒ１４を介して接続される定電圧源Ｖと、を備える。
【００３２】
（調光制御回路７０ａ）
調光制御回路７０ａは、正極入力端子が減算回路６０に接続され、負極入力端子が抵抗Ｒ１６を介して電流検出回路１４に接続される比較器ＯＰ５を備える。
【００３３】
（動作）
次に、直流電圧変換部５０、減算回路６０及び調光制御回路７０ａの動作を説明する。
【００３４】
（直流電圧変換部５０）
（１）オペアンプＯＰ１は、第１直流電圧Ｖ２を、制御電源ＶＤＤを抵抗分圧（抵抗Ｒ９〜Ｒ１１による分圧）して得られる基準値（予め定める第１電圧値Ｖ（１））に従って一定にすることにより、直流電圧変換部５０の出力である直流電圧Ｖ３の上限限度値を決めている。
（２）オペアンプＯＰ２は、直流電圧Ｖ２を、後段の抵抗Ｒ１２、Ｒ１３に影響されないように低インピーダンスで出力するものである。
（３）オペアンプＯＰ３は、直流電圧Ｖ２を、制御電源ＶＤＤを抵抗分圧（抵抗Ｒ９〜Ｒ１１による分圧）して得られる基準値（予め定める第２電圧値Ｖ（２））に従い、直流電圧変換部５０の出力である直流電圧Ｖ３の下限限度値を決める。
（４）オペアンプＯＰ２とオペアンプＯＰ３の出力は、ダイオードＤ２、Ｄ４のＯＲ回路によって、下限限度値、又は、第１直流電圧Ｖ２の電圧値を出力するものである。
【００３５】
（減算回路６０）
減算回路６０は、直流電圧変換部５０が出力する直流電圧Ｖ３を入力して、オペアンプＯＰ４により、直流電圧Ｖ３の電圧値から、定電圧源Ｖが供給する定電圧Ｖの電圧値を減算する。減算回路６０は、オペアンプＯＰ４により減算した電圧値を、直流電圧Ｖ４として出力する（Ｄ点）。ここで、直流電圧変換部５０から入力する直流電圧Ｖ３の電圧値と、定電圧Ｖの電圧値と、直流電圧Ｖ４との関係を、式（２）に示す。
Ｖ４＝Ｖ３−Ｖ・・・（２）
【００３６】
（調光制御回路７０ａ）
減算回路６０の出力する直流電圧Ｖ４は、調光制御回路７０ａの調光制御基準値として、比較器ＯＰ５に入力される。比較器ＯＰ５は、電流検出回路１４から得られる検出信号ＶＣＳと、減算回路６０の出力である直流電圧Ｖ４の電圧値とを比較し、光源ＬＡの点灯制御に反映させる。つまり、直流電圧Ｖ４の電圧値よりも検出信号ＶＣＳが大きい場合は、比較器ＯＰ５は、光源ＬＡを暗くする制御信号を点灯制御回路２１に出力する。直流電圧Ｖ４の電圧値よりも検出信号ＶＣＳが小さい場合は、比較器ＯＰ５は、光源ＬＡを明るくする制御信号を点灯制御回路２１に出力する。このようにして、比較器ＯＰ５は、検出信号ＶＣＳと第３直流電圧Ｖ４とが等しくなるようにする。
【００３７】
なお、比較器ＯＰ５が比較する検出信号ＶＣＳは、電流検出回路１４が検出する光源ＬＡに供給する電流の電流値だけでなく、光源ＬＡに供給する電力の電力値や、光源ＬＡに印加する電圧の電圧値に基づいた検出信号であってもよい。
【００３８】
図５は、図２、図４に示す光源点灯装置１１０の各部（Ｂ点（Ｖ２）等）の出力電圧とＰＷＭ信号（調光信号）との関係、及び「ＪＩＳ  Ｃ８１２０：２００８」の一例（下限調光率１％の例）に規定される光出力とＰＷＭ信号（調光信号）との関係を示した図である。
【００３９】
図５では「Ｖ５」も掲載しているが、「Ｖ５」は実施の形態２で後述する。「Ｖ２」はＢ点の出力電圧であり、「Ｖ３」はＣ点の出力電圧であり、「Ｖ４」はＤ点の出力電圧である。図５に示すように、「Ｖ２」は、一番上に位置し、オンデューティ「０〜５％」、「９０〜１００％」の範囲でも水平ではない。「Ｖ３」は、「Ｖ２」と重なっているが、両端、つまり、オンデューティ「０〜５％」、「９０〜１００％」の範囲では、水平になっている。「Ｖ４」は、一点鎖線で示しているが、「Ｖ３」よりも下側に位置する。これは、式（２）のように、直流電圧Ｖ３から定電圧Ｖを減じたためである。一番下側の線が「ＪＩＳ  Ｃ８１２０：２００８」の一例（下限調光率１％の例）を示すが、直流電圧Ｖ４と「ＪＩＳ  Ｃ８１２０：２００８」は、オンデューティに対して同じ変化を行うことがわかる。
【００４０】
光源ＬＡに白色発光ダイオード（以下、単にＬＥＤという。）を用いた場合、ＰＷＭ信号のオンデューティ期間が短くなると、定電流回路１２がＬＥＤに供給する電流を増加させ、ＬＥＤが発する光は明るくなる。これは、一般的に、ＬＥＤに流れる電流と、ＬＥＤが発する光出力との関係は、電流が増加するにつれ光出力が増加するようになっており、その増加比率は略直線状となっているためである。但し、ＬＥＤが個々にもつ飽和領域まで電流が増加するとき、これ以上ＬＥＤに流す電流を増加しても、ＬＥＤが発する光出力は略直線状に増加しなくなる。
【００４１】
したがって、光源点灯装置１１０では、直流電圧Ｖ４と光源ＬＡに流れる電流とを、対応させて制御している。したがって、一般的に光源ＬＡの電流−光出力が略線形の特性を示すＬＥＤにおいては、ＰＷＭ信号のオンデューティの変化に対するＬＥＤが発する光特性の傾きを自由に変更することができる。
【００４２】
以上のように、実施の形態１の光源点灯装置１１０は、直流電圧変換部５０、減算回路６０及び調光制御回路７０ａを備えたので、簡易な構成で、オンデューティと光出力との関係を蛍光ランプ用の点灯装置の仕様に合致させることができる。
【００４３】
実施の形態２．
次に図６を参照して、実施の形態２を説明する。図６は、実施の形態２の光源点灯装置１２０を示す回路図である。光源点灯装置１２０は実施の形態１の光源点灯装置１１０と、調光制御回路７０の構成が異なる。このため、光源点灯装置１２０では「調光制御回路７０ｂ」という。調光制御回路７０ｂは、実施の形態１の調光制御回路７０ａに対して、減算回路６０の出力である直流電圧Ｖ４の大きさを調整可能な演算電圧調整部７１ｂを備えている。
【００４４】
図６に示すように、演算電圧調整部７１ｂは、直流電圧Ｖ４を分圧する抵抗Ｒ１７、可変抵抗Ｒ１８と、制御電源ＶＤＤと抵抗Ｒ１７（可変抵抗Ｒ１８）との間に接続され、比較器ＯＰ５の正極入力端子に電流を供給する抵抗Ｒ１９とを備える。抵抗Ｒ１７、Ｒ１９、可変抵抗Ｒ１８が接続する接続点（Ｅ点）に発生する「直流電圧Ｖ５」は、比較器ＯＰ５の調光制御基準値となる。比較器ＯＰ５は、直流電圧Ｖ５と検出信号ＶＣＳとを比較し、点灯制御回路１３に調光制御信号を出力する。
【００４５】
図５では、前記の直流電圧Ｖ５の特性を点線で示しているが、直流電圧Ｖ５の特性は、図５をみると明らかなように、「ＪＩＳ  Ｃ８１２０：２００８」の特性と一致している。
【００４６】
図５に示すように、実施の形態２の直流電圧Ｖ５は、実施の形態１の直流電圧Ｖ４よりも「ＪＩＳ  Ｃ  ８１２０：２００８」の特性に近くすることができる。これは、可変抵抗Ｒ１８によって、直流電圧Ｖ４（直流電圧Ｖ３から定電圧源Ｖの電圧値分を減算した電圧、Ｖ４＝Ｖ３−Ｖ）を調整可能としているためである。比較器ＯＰ５に入力される電圧を直流電圧Ｖ５とすると、直流電圧Ｖ５と直流電圧Ｖ３の関係は次の式（３）で示すことができる（「＊」は乗算を示す）。
【００４７】
Ｖ５＝（Ｒ１７＊Ｒ１９）／（Ｒ１７＊Ｒ１９＋Ｒ１８＊Ｒ１９＋Ｒ１７＊Ｒ１８）＊ＶＤＤ＋（Ｒ１８＊Ｒ１９）／（Ｒ１７＊Ｒ１９＋Ｒ１８＊Ｒ１９＋Ｒ１７＊Ｒ１８）＊（Ｖ３−Ｖ）・・・（３）
【００４８】
以上の実施の形態２の光源点灯装置１２０によれば、抵抗Ｒ１７、Ｒ１９及び可変抵抗Ｒ１８、定電圧源Ｖと、制御電源ＶＤＤから供給される電流によって、デューティ比と光出力との関係の傾きを自由に変更することができる。
【符号の説明】
【００４９】
１０  点灯回路、１１  交流−直流変換回路、１２  定電流回路、１３  点灯制御回路、１４  電流検出回路、１８  可変抵抗、２０  調光信号入力部、３０  スイッチング回路、３１  増幅回路、３２  反転スイッチング部、３３  出力スイッチング部、４０  時間積分回路、５０  直流電圧変換部、６０  減算回路、７０，７０ａ，７０ｂ  調光制御回路、７１ｂ  演算電圧調整部、１１０，１２０  光源点灯装置、２００  調光器、１０００  調光照明システム。
【図１】
0005528143.tif 000002
【図２】
0005528143.tif 000003
【図３】
0005528143.tif 000004
【図４】
0005528143.tif 000005
【図５】
0005528143.tif 000006
【図６】
0005528143.tif 000007